【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
クライアント端末と通信可能な情報処理装置であって、
コンテストに応募されたコンテンツを管理する管理手段と、
前記管理手段により管理されるコンテンツについて公開を許可するか否かを示す検閲結果を受け付ける受付手段と、
前記クライアント端末からの、前記管理手段により管理されるコンテンツについてのコンテストの作成要求に応じて、前記コンテストを作成するために用いられるコンテスト設定情報の入力を受け付けるコンテスト作成画面であって、当該管理されるコンテンツを公開する前に、前記受付手段により当該コンテンツの公開を許可するか否かの検閲結果を受け付け、公開を許可する検閲結果を受け付けていないコンテンツは公開せずに、公開を許可する検閲結果を受け付けたコンテンツを公開するように動作する事前検閲モード、及び、当該管理されるコンテンツを公開した後に、前記受付手段により当該コンテンツの公開を許可するか否かの検閲結果を受け付け、公開を許可しない検閲結果を受け付けたコンテンツは公開しないように動作する事後検閲モードを含むモードのうち、いずれかのモードの選択を受け付けるコンテスト作成画面を、前記クライアント端末に表示するべく送信する送信手段と、
前記送信手段により送信されたコンテスト作成画面を介して入力されたコンテスト設定情報と、当該コンテスト作成画面を介して選択されたモードを示す選択情報とを、前記クライアント端末から受信する受信手段と、
前記受信手段により受信したコンテスト設定情報を用いて、前記管理手段により管理されるコンテンツのコンテストを作成するコンテスト作成手段と、
前記コンテスト作成手段により作成されたコンテストの対象である前記コンテンツの表示要求をクライアント端末から受け付ける表示要求受付手段と、
前記表示要求受付手段で表示要求を受け付けたことに応答して、当該表示要求を行ったクライアント端末に、前記コンテスト作成手段により作成されたコンテストの対象である当該コンテンツの表示画面を表示するべく当該表示画面を送信する表示画面送信手段と、
を備え、
前記表示画面送信手段は、前記受信手段で受信した選択情報が、前記事前検閲モードである場合には、前記受付手段により公開を許可する検閲結果を受け付けていないコンテンツは含めずに、前記受付手段により公開を許可する検閲結果を受け付けたコンテンツを含む前記表示画面を送信し、一方、前記受信手段で受信した選択情報が、前記事後検閲モードである場合には、前記受付手段により公開を許可しない検閲結果を受け付けたコンテンツは含めずに、前記コンテスト作成手段により作成されたコンテストの対象である前記コンテンツを含む前記表示画面を送信することを特徴とする情報処理装置。
【請求項２】
前記事前検閲モードにおける、公開を許可する検閲結果を受け付けていないコンテンツとは、前記受付手段により公開を許可しない検閲結果を受け付けたコンテンツと、前記受付手段により検閲結果を受け付けていないコンテンツであることを特徴とする請求項１に記載の情報処理装置。
【請求項３】
前記管理手段は、前記受信手段で受信した前記コンテスト設定情報と、前記選択情報とを更に管理し、
前記管理手段で管理する前記選択情報を変更する変更要求を受け付ける変更要求受付手段と、
前記表示画面送信手段は、前記変更要求受付手段で受け付けた変更要求が、前記管理手段で管理する前記選択情報を、前記事前検閲モードを示す選択情報から前記事後検閲モードを示す選択情報に変更する要求である場合に、当該管理手段で管理するフォトコンテスト設定情報を用いて作成されたコンテストの対象であるコンテンツのうち前記受付手段により公開を許可しない検閲結果を受け付けたコンテンツは含めずに、前記コンテスト作成手段により作成されたコンテストの対象である前記コンテンツを含む前記表示画面を送信することを特徴とする請求項１または２に記載の情報処理装置。
【請求項４】
前記変更要求受付手段により受け付けた変更要求が、前記管理手段で管理する前記選択情報を、前記事後検閲モードを示す選択情報から前記事前検閲モードを示す選択情報に変更する要求である場合に、前記管理手段で管理するフォトコンテスト設定情報を用いて作成されたコンテストの対象であるコンテンツのうち前記受付手段により公開を許可する検閲結果を受け付けていないコンテンツは含めずに、前記受付手段により公開を許可する検閲結果を受け付けたコンテンツを含む前記表示画面を送信することを特徴とする請求項３に記載の情報処理装置。
【請求項５】
前記管理手段で管理するコンテンツの検閲要求を受け付ける検閲要求受付手段と、
前記検閲要求受付手段により検閲要求を受け付けた前記コンテンツの検閲を行うための画面を送信する検閲画面送信手段を更に備えることを特徴とする請求項１乃至４のいずれか１項に記載の情報処理装置。
【請求項６】
前記コンテスト設定情報には、検閲可能である期間と、前記受付手段により検閲結果を受け付けるユーザの権限情報であって、前記検閲可能である期間外に前記検閲画面送信手段により前記検閲画面を送信するか否かを示す権限情報とを含み、
前記検閲要求受付手段による検閲要求を前記検閲可能である期間外に受け付けた場合に、前記検閲画面送信手段により前記検閲画面を送信するか否かの判定を、前記ユーザの権限情報に従って判定する権限判定手段を更に備えることを特徴とする請求項５に記載の情報処理装置。
【請求項７】
前記権限判定手段は、前記ユーザの権限情報が、前記コンテストを管理する管理者の権限である場合に、前記検閲画面を送信すると判定し、前記ユーザの権限情報が、前記コンテストの検閲を行う検閲者の権限である場合に、前記検閲画面を送信しないと判定することを特徴とする請求項６に記載の情報処理装置。
【請求項８】
コンテストに応募されたコンテンツを管理する管理手段を備え、クライアント端末と通信可能な情報処理装置によって行われる情報処理方法であって、
前記情報処理装置の受付手段が、前記管理手段により管理されるコンテンツについて公開を許可するか否かを示す検閲結果を受け付ける受付工程と、
前記情報処理装置の送信手段が、前記クライアント端末からの、前記管理手段により管理されるコンテンツについてのコンテストの作成要求に応じて、前記コンテストを作成するために用いられるコンテスト設定情報の入力を受け付けるコンテスト作成画面であって、当該管理されるコンテンツを公開する前に、前記受付工程により当該コンテンツの公開を許可するか否かの検閲結果を受け付け、公開を許可する検閲結果を受け付けていないコンテンツは公開せずに、公開を許可する検閲結果を受け付けたコンテンツを公開するように動作する事前検閲モード、及び、当該管理されるコンテンツを公開した後に、前記受付工程により当該コンテンツの公開を許可するか否かの検閲結果を受け付け、公開を許可しない検閲結果を受け付けたコンテンツは公開しないように動作する事後検閲モードを含むモードのうち、いずれかのモードの選択を受け付けるコンテスト作成画面を、前記クライアント端末に表示するべく送信する送信工程と、
前記情報処理装置の受信手段が、前記送信工程により送信されたコンテスト作成画面を介して入力されたコンテスト設定情報と、当該コンテスト作成画面を介して選択されたモードを示す選択情報とを、前記クライアント端末から受信する受信工程と、
前記情報処理装置のコンテスト作成手段が前記受信工程により受信したコンテスト設定情報を用いて、前記管理手段により管理されるコンテンツのコンテストを作成するコンテスト作成工程と、
前記情報処理装置の表示要求受付手段が、前記コンテスト作成工程により作成されたコンテストの対象である前記コンテンツの表示要求をクライアント端末から受け付ける表示要求受付工程と、
前記情報処理装置の表示画面送信手段が、前記表示要求受付工程で表示要求を受け付けたことに応答して、当該表示要求を行ったクライアント端末に、前記コンテスト作成手段により作成されたコンテストの対象である当該コンテンツの表示画面を表示するべく当該表示画面を送信する表示画面送信工程と、
を備え、
前記表示画面送信工程は、前記受信工程で受信した選択情報が、前記事前検閲モードである場合には、前記受付工程により公開を許可する検閲結果を受け付けていないコンテンツは含めずに、前記受付工程により公開を許可する検閲結果を受け付けたコンテンツを含む前記表示画面を送信し、一方、前記受信工程で受信した選択情報が、前記事後検閲モードである場合には、前記受付工程により公開を許可しない検閲結果を受け付けたコンテンツは含めずに、前記コンテスト作成工程により作成されたコンテストの対象である前記コンテンツを含む前記表示画面を送信することを特徴とする情報処理方法。
【請求項９】
コンピュータを、請求項１乃至７のいずれか１項に記載の情報処理装置の各手段として機能させるためのコンピュータプログラム。
【手続補正２】
【補正対象書類名】明細書
【補正対象項目名】０００１
【補正方法】変更
【補正の内容】
【０００１】
本発明は、情報処理装置、情報処理方法、及びコンピュータプログラムに関し、特に、検閲の設定を含むコンテストの設定情報を用いて容易にコンテストを作成可能な仕組みに関する。
【手続補正３】
【補正対象書類名】明細書
【補正対象項目名】００１０
【補正方法】変更
【補正の内容】
【００１０】
本発明は、検閲の設定を含むコンテストの設定情報を用いて容易にコンテストを作成可能な仕組みを提供することを目的とする。
【手続補正４】
【補正対象書類名】明細書
【補正対象項目名】００１１
【補正方法】変更
【補正の内容】
【００１１】
本発明は、クライアント端末と通信可能な情報処理装置であって、コンテストに応募されたコンテンツを管理する管理手段と、前記管理手段により管理されるコンテンツについて公開を許可するか否かを示す検閲結果を受け付ける受付手段と、前記クライアント端末からの、前記管理手段により管理されるコンテンツについてのコンテストの作成要求に応じて、前記コンテストを作成するために用いられるコンテスト設定情報の入力を受け付けるコンテスト作成画面であって、当該管理されるコンテンツを公開する前に、前記受付手段により当該コンテンツの公開を許可するか否かの検閲結果を受け付け、公開を許可する検閲結果を受け付けていないコンテンツは公開せずに、公開を許可する検閲結果を受け付けたコンテンツを公開するように動作する事前検閲モード、及び、当該管理されるコンテンツを公開した後に、前記受付手段により当該コンテンツの公開を許可するか否かの検閲結果を受け付け、公開を許可しない検閲結果を受け付けたコンテンツは公開しないように動作する事後検閲モードを含むモードのうち、いずれかのモードの選択を受け付けるコンテスト作成画面を、前記クライアント端末に表示するべく送信する送信手段と、前記送信手段により送信されたコンテスト作成画面を介して入力されたコンテスト設定情報と、当該コンテスト作成画面を介して選択されたモードを示す選択情報とを、前記クライアント端末から受信する受信手段と、前記受信手段により受信したコンテスト設定情報を用いて、前記管理手段により管理されるコンテンツのコンテストを作成するコンテスト作成手段と、前記コンテスト作成手段により作成されたコンテストの対象である前記コンテンツの表示要求をクライアント端末から受け付ける表示要求受付手段と、前記表示要求受付手段で表示要求を受け付けたことに応答して、当該表示要求を行ったクライアント端末に、前記コンテスト作成手段により作成されたコンテストの対象である当該コンテンツの表示画面を表示するべく当該表示画面を送信する表示画面送信手段と、を備え、前記表示画面送信手段は、前記受信手段で受信した選択情報が、前記事前検閲モードである場合には、前記受付手段により公開を許可する検閲結果を受け付けていないコンテンツは含めずに、前記受付手段により公開を許可する検閲結果を受け付けたコンテンツを含む前記表示画面を送信し、一方、前記受信手段で受信した選択情報が、前記事後検閲モードである場合には、前記受付手段により公開を許可しない検閲結果を受け付けたコンテンツは含めずに、前記コンテスト作成手段により作成されたコンテストの対象である前記コンテンツを含む前記表示画面を送信することを特徴とする。
【手続補正５】
【補正対象書類名】明細書
【補正対象項目名】００１２
【補正方法】変更
【補正の内容】
【００１２】
また、本発明は、コンテストに応募されたコンテンツを管理する管理手段を備え、クライアント端末と通信可能な情報処理装置によって行われる情報処理方法であって、前記情報処理装置の受付手段が、前記管理手段により管理されるコンテンツについて公開を許可するか否かを示す検閲結果を受け付ける受付工程と、前記情報処理装置の送信手段が、前記クライアント端末からの、前記管理手段により管理されるコンテンツについてのコンテストの作成要求に応じて、前記コンテストを作成するために用いられるコンテスト設定情報の入力を受け付けるコンテスト作成画面であって、当該管理されるコンテンツを公開する前に、前記受付工程により当該コンテンツの公開を許可するか否かの検閲結果を受け付け、公開を許可する検閲結果を受け付けていないコンテンツは公開せずに、公開を許可する検閲結果を受け付けたコンテンツを公開するように動作する事前検閲モード、及び、当該管理されるコンテンツを公開した後に、前記受付工程により当該コンテンツの公開を許可するか否かの検閲結果を受け付け、公開を許可しない検閲結果を受け付けたコンテンツは公開しないように動作する事後検閲モードを含むモードのうち、いずれかのモードの選択を受け付けるコンテスト作成画面を、前記クライアント端末に表示するべく送信する送信工程と、前記情報処理装置の受信手段が、前記送信工程により送信されたコンテスト作成画面を介して入力されたコンテスト設定情報と、当該コンテスト作成画面を介して選択されたモードを示す選択情報とを、前記クライアント端末から受信する受信工程と、前記情報処理装置のコンテスト作成手段が前記受信工程により受信したコンテスト設定情報を用いて、前記管理手段により管理されるコンテンツのコンテストを作成するコンテスト作成工程と、前記情報処理装置の表示要求受付手段が、前記コンテスト作成工程により作成されたコンテストの対象である前記コンテンツの表示要求をクライアント端末から受け付ける表示要求受付工程と、前記情報処理装置の表示画面送信手段が、前記表示要求受付工程で表示要求を受け付けたことに応答して、当該表示要求を行ったクライアント端末に、前記コンテスト作成手段により作成されたコンテストの対象である当該コンテンツの表示画面を表示するべく当該表示画面を送信する表示画面送信工程と、を備え、前記表示画面送信工程は、前記受信工程で受信した選択情報が、前記事前検閲モードである場合には、前記受付工程により公開を許可する検閲結果を受け付けていないコンテンツは含めずに、前記受付工程により公開を許可する検閲結果を受け付けたコンテンツを含む前記表示画面を送信し、一方、前記受信工程で受信した選択情報が、前記事後検閲モードである場合には、前記受付工程により公開を許可しない検閲結果を受け付けたコンテンツは含めずに、前記コンテスト作成工程により作成されたコンテストの対象である前記コンテンツを含む前記表示画面を送信することを特徴とする。
【手続補正６】
【補正対象書類名】明細書
【補正対象項目名】００１３
【補正方法】変更
【補正の内容】
【００１３】
本発明によれば、検閲の設定を含むコンテストの設定情報を用いて容易にコンテストを作成することができる。